(57)【要約】【課題】冷却媒体により、特に巻線における冷却媒体の下流側での異常温度上昇を抑制する効果を高めることが可能なリアクトルを提供する。【解決手段】内側巻層１Ａと外側巻層１Ｂとを含む巻線１と、第１の案内部材１０とを備える。内側巻層１Ａと外側巻層１Ｂとは仮想の直線軸を中心としてその周囲を、互いに間隔をあけて巻回されている。第１の案内部材１０は、冷却媒体ＦＲの流れる方向を変更させる。内側巻層１Ａと外側巻層１Ｂとの間に冷却媒体ＦＲが流れる第１の冷却流路３が形成される。内側巻層１Ａと外側巻層１Ｂとの少なくともいずれか一方において第１の冷却流路３とつながる開口部からなる第２の冷却流路８が形成される。第１の案内部材１０は、第２の冷却流路８において第１の冷却流路３とつながる一方開口端と反対側に位置する他方開口端において、内側巻層１Ａまたは外側巻層１Ｂの少なくともいずれか一方の冷却媒体ＦＲの流通方向における下流側Ｄに配置される。【選択図】図３
2015191920.tif 000002
【特許請求の範囲】
【請求項１】
仮想の直線軸を中心として、前記直線軸の周囲を巻回された線材から前記直線軸に沿って延びる内側巻層と、前記直線軸を中心として前記内側巻層と間隔をあけて前記内側巻層の外側に位置し、前記線材が巻回された外側巻層とを含む巻線と、
冷却媒体の流れる方向を変更させる第１の案内部材とを備え、
前記内側巻層と前記外側巻層との間に冷却媒体が流れる第１の冷却流路が形成され、
前記内側巻層と前記外側巻層との少なくともいずれか一方において前記第１の冷却流路とつながる開口部からなる第２の冷却流路が形成され、
前記第１の案内部材は、前記第２の冷却流路において前記第１の冷却流路とつながる一方開口端と反対側に位置する他方開口端において、前記内側巻層または前記外側巻層の少なくともいずれか一方の冷却媒体の流通方向における下流側に配置される、リアクトル。
【請求項２】
前記内側巻層の内側には、前記直線軸を含むように前記直線軸に沿う方向に延びる第３の冷却流路が形成され、
前記第２の冷却流路は前記第３の冷却流路に通じている、請求項１に記載のリアクトル。
【請求項３】
前記第２の冷却流路は、前記直線軸に沿う方向に関する前記巻線の中央部よりも冷却媒体の流通方向における下流側に配置される、請求項１または２に記載のリアクトル。
【請求項４】
前記第１の案内部材は前記内側巻層の内周面に接続される、請求項１〜３のいずれか１項に記載のリアクトル。
【請求項５】
前記第１の案内部材は前記第２の冷却流路の壁面に沿うよう形成され、
前記第１の案内部材の、冷却媒体の流通方向における上流側に配置する表面が、前記壁面に対して上流側に向かう方向に傾斜している、請求項１〜４のいずれか１項に記載のリアクトル。
【請求項６】
前記第１の案内部材には第１の筒状部材が接続されており、
前記第１の筒状部材は、前記第１の案内部材から冷却媒体の流通方向における上流側に延びるように配置されており、
前記第１の筒状部材は前記巻線と間隔を隔てて配置される、請求項１〜５のいずれか１項に記載のリアクトル。
【請求項７】
前記第１の案内部材は、案内部材本体部と、前記案内部材本体部から冷却媒体の流通方向における上流側に延びかつ前記巻線と間隔を隔てて配置される第１の筒状部材とが一体として形成された一体案内板として設けられる、請求項１〜５のいずれか１項に記載のリアクトル。
【請求項８】
前記第１の案内部材よりも冷却媒体の流通方向における下流側に配置される第２の案内部材と、
前記第２の案内部材に接続され、前記第２の案内部材から冷却媒体の流通方向における下流側に延びるように配置される第２の筒状部材とをさらに備える、請求項１〜７のいずれか１項に記載のリアクトル。
【請求項９】
前記第２の案内部材および前記第２の筒状部材は、前記巻線と間隔を隔てて配置される、請求項８に記載のリアクトル。
【請求項１０】
前記第１の案内部材は、前記第２の冷却流路から見て冷却媒体の流通方向における下流側に位置する前記内側巻層または前記外側巻層の少なくともいずれか一方の、前記第２の冷却流路に面する壁面の上に形成される、請求項１に記載のリアクトル。
【請求項１１】
前記内側巻層と前記外側巻層との双方に接するように前記内側巻層と前記外側巻層との間に配置される第１のスペーサと、
前記第２の冷却流路に配置され、冷却媒体の流通方向における上流側に位置する前記内側巻層または前記外側巻層の少なくともいずれか一方と、冷却媒体の流通方向における下流側に位置する前記内側巻層または前記外側巻層の少なくともいずれか一方との双方に接触するように挟まれる第２のスペーサとをさらに備え、
前記第１および第２のスペーサは、セラミックまたはステンレスにより形成される、請求項１〜１０のいずれか１項に記載のリアクトル。
【発明の詳細な説明】
【技術分野】
【０００１】
本発明はリアクトルに関し、特にたとえば鉄道車両に用いられるリアクトルに関するものである。
【背景技術】
【０００２】
リアクトルなどの静止誘導電気機器においては、使用時にリアクトルを構成する巻線に大電流が流れるため、巻線が発熱することにより巻線の寿命が低下する可能性がある。そこでリアクトルの使用時には外部からたとえばエアを冷却媒体として取り込むことにより巻線を冷却させる必要がある。しかし従来のリアクトルにおいては、冷却媒体の不均一な供給が原因で部分的に異常温度上昇を引き起こし、巻線の寿命を短縮させる恐れがある。
【０００３】
ところで複数の巻線間に形成される複数の冷却媒体が流れる領域における冷却媒体の流量を均一にする観点から、上流側と下流側との冷却媒体の流路の幅を制御する例が、たとえば以下の特許文献１〜４に開示されている。特許文献１〜４はいずれも、冷却媒体の上流側よりも、圧力損失の大きい下流側の流路を狭くすることにより、下流側の流路内の圧力を大きくする。これにより巻線間の領域を流れる冷却媒体の量を、冷却媒体の上流側と下流側との双方の間で均一になるようにしている。また流路の狭い下流側における冷却媒体の流れる速さを速くすることができ、そのことにより冷却効率が高められる。
【先行技術文献】
【特許文献】
【０００４】
【特許文献１】特開昭５９−４１８１８号公報
【特許文献２】実開昭５０−３１４５６号公報
【特許文献３】実開昭６４−３３７２３号公報
【特許文献４】特開平３−２４６９１２号公報
【発明の概要】
【発明が解決しようとする課題】
【０００５】
特許文献１〜４の構成においては、いずれも冷却媒体がリアクトルの巻線が配置される領域の空隙に流入されてから、リアクトルの巻線が配置される領域から流出されるまでの間に、冷却媒体と巻線との間で熱交換が起こる。このとき冷却媒体の温度が次第に上昇するため、特にリアクトルでの冷却媒体の流路のうち下流側の領域において上流側の領域よりも巻線の温度が上昇しやすくなる。つまり特許文献１〜４のように各巻線間の空隙における冷却媒体の量を均一にしたり流速を速くしたりするだけでは、上流側において温度が上昇した冷却媒体が下流側に流れ込むことになるため、特に冷媒の下流側の領域において巻線の異常温度上昇が起こる可能性がある。
【０００６】
このような異常温度上昇を避けるためには、たとえば巻線を構成する素線導体を太くすることにより素線導体の電流密度を下げ、ジュール熱の発生量を下げることが考えられる。しかし素線導体を太くすることは、巻線を大型化させ、リアクトル全体を大型化させる欠点を伴う。
【０００７】
本発明は、上記の課題に鑑みてなされたものであり、その目的は、冷却媒体により、特に巻線における冷却媒体の下流側での異常温度上昇を抑制する効果を高めることが可能なリアクトルを提供することである。
【課題を解決するための手段】
【０００８】
本発明のリアクトルは、内側巻層と外側巻層とを含む巻線と、第１の案内部材とを備える。内側巻層と外側巻層とは仮想の直線軸を中心としてその周囲を、互いに間隔をあけて巻回されている。第１の案内部材は、冷却媒体の流れる方向を変更させる。内側巻層と外側巻層との間に冷却媒体が流れる第１の冷却流路が形成される。内側巻層と外側巻層との少なくともいずれか一方において第１の冷却流路とつながる開口部からなる第２の冷却流路が形成される。第１の案内部材は、第２の冷却流路において第１の冷却流路とつながる一方開口端と反対側に位置する他方開口端において、内側巻層または外側巻層の少なくともいずれか一方の冷却媒体の流通方向における下流側に配置される。
【発明の効果】
【０００９】
本発明のリアクトルは、開口部からなる第２の冷却流路と、第１の案内部材とにより、第１の冷却流路を流れる冷却媒体よりも冷涼な冷却媒体が第２の冷却流路内に流れ込むよう案内されやすくなる。このため、巻線の、冷却媒体の流通方向における下流側を含む全体を均一に冷却する効果が高められる。
【図面の簡単な説明】
【００１０】
【図１】本発明の実施の形態１におけるリアクトルの外観を示す概略全体図である。
【図２】本発明の実施の形態１におけるリアクトルを図１のＶＷに示す方向から見た概略平面図である。
【図３】図２のＩＩＩ−ＩＩＩ線に沿う概略断面図である。
【図４】図２のＩＶ−ＩＶ線に沿う概略断面図である。
【図５】図４のＶ−Ｖ線に沿う概略断面図である。
【図６】図３の点線で囲んだ領域ＶＩの概略拡大図である。
【図７】本発明の実施の形態２におけるリアクトルを図１のＶＷに示す方向から見た概略平面図である。
【図８】図７のＶＩＩＩ−ＶＩＩＩ線に沿う概略断面図である。
【図９】図７のＩＸ−ＩＸ線に沿う概略断面図である。
【図１０】本発明の実施の形態３におけるリアクトルの、実施の形態１における図３と同じ領域における概略断面図である。
【図１１】本発明の実施の形態４の第１例におけるリアクトルを図１のＶＷに示す方向から見た概略平面図である。
【図１２】図１１のＸＩＩ−ＸＩＩ線に沿う概略断面図である。
【図１３】本発明の実施の形態４の第２例におけるリアクトルを図１のＶＷに示す方向から見た概略平面図である。
【図１４】図１３のＸＩＶ−ＸＩＶ線に沿う概略断面図である。
【図１５】本発明の実施の形態５におけるリアクトルを図１のＶＷに示す方向から見た概略平面図である。
【図１６】図１５のＸＶＩ−ＸＶＩ線に沿う概略断面図である。
【図１７】本発明の実施の形態６におけるリアクトルを図１のＶＷに示す方向から見た概略平面図である。
【図１８】図１７のＸＶＩＩＩ−ＸＶＩＩＩ線に沿う概略断面図である。
【図１９】図１７のＸＩＸ−ＸＩＸ線に沿う概略断面図である。
【図２０】本発明の実施の形態７におけるリアクトルの、実施の形態１における図３と同じ領域における概略断面図である。
【図２１】本発明の実施の形態８におけるリアクトルを図１のＶＷに示す方向から見た概略平面図である。
【図２２】図２１のＸＸＩＩ−ＸＸＩＩ線に沿う概略断面図である。
【図２３】図２１のＸＸＩＩＩ−ＸＸＩＩＩ線に沿う概略断面図である。
【発明を実施するための形態】
【００１１】
以下、本発明の実施の形態について図に基づいて説明する。
（実施の形態１）
図１および図２を参照して、本実施の形態のリアクトル１００は、巻線１と、筒状カバー２と、冷却流路３（第１の冷却流路）と、冷却流路４と、冷却流路５（第３の冷却流路）と、スペーサ６（第１のスペーサ）と、スペーサ７と、冷却流路８（第２の冷却流路）と、スペーサ９（第２のスペーサ）と、案内板１０（第１の案内部材）とを主に有している。
【００１２】
巻線１は導体の線材を仮想の直線軸ｌｎを中心に巻回させるリアクトル１００のコイルとして配置されている。より具体的には、導体の線材を仮想の直線軸ｌｎを中心に、図１の直線軸ｌｎのＸ側からＸ’側に（またはＸ’側からＸ側に）進行するように巻回することにより、巻線１が形成される。
【００１３】
巻線１は第１の巻層１Ａ（内側巻層）と第２の巻層１Ｂ（外側巻層）とを有している。第１の巻層１Ａは、直線軸ｌｎを中心としてその周囲を線材が巻回される。巻線１では巻回された複数の線材のループ同士が直線軸ｌｎに沿う方向（ＸとＸ’とを結ぶ方向）に関して互いに接触しながら延びることにより形成される。第２の巻層１Ｂも第１の巻層１Ａと同様に直線軸ｌｎを中心としてその周囲を直線軸ｌｎに沿う方向に延びるように線材が巻回されることにより形成される。第２の巻層１Ｂは直線軸ｌｎに交差する方向（たとえば図１のＶＷの方向から見た（平面視における）円形の半径方向）に関して第１の巻層１Ａと間隔をあけて、第１の巻層１Ａの外側に位置するように、巻回されている。
【００１４】
第１の巻層１Ａと第２の巻層１Ｂとは、平面視において互いに同心円状に巻回されている。しかしこれに限らず巻線１は、たとえば平面視において正方形状に巻回されていてもよい。ただし以下においては図１、図２に示すように巻線１が平面視において円形を有する構成について説明がなされる。
【００１５】
線材が図１のＸからＸ’まで巻回することにより、第１の巻層１Ａが形成される。Ｘ’において第１の巻層１Ａの線材は、図１のＶＷの方向から見た円形の半径方向外側に向けて延びることにより、第１の巻層１Ａよりも直線軸ｌｎからの距離が大きい第２の巻層１Ｂの巻回位置に達し、そこからはＸまで第１の巻層１Ａの外側を巻回することにより第２の巻層１Ｂが形成される。このようにして第１の巻層１Ａと第２の巻層１Ｂとは１本の線材により形成され、第１の巻層１Ａと第２の巻層１Ｂとにより１つの巻線１が形成される。
【００１６】
ただし第１の巻層１Ａと第２の巻層１Ｂとは必ずしも１つの巻線１として形成される必要はなく、第１の巻層１Ａと第２の巻層１Ｂとは別の線材として形成され、これらが電気的に接続された態様であってもよい。
【００１７】
平面視における第２の巻層１Ｂの外側には筒状カバー２が形成されている。筒状カバー２は平面視において第２の巻層１Ｂと間隔をあけて配置され、リアクトル１００全体の最外部を構成する。逆に言えばリアクトル１００において、巻線１は筒状カバー２内に収納される。筒状カバー２はリアクトル１００を飛散物による損傷から保護する役割を有し、また風洞としての役割も有している。巻線１が円環形状を有する場合、筒状カバー２も同様に円環形状を有する。
【００１８】
平面視において第１の巻層１Ａと第２の巻層１Ｂとの間、すなわち第１の巻層１Ａの外向きの表面と第２の巻層１Ｂの内向きの表面との間には、冷却流路３が形成されている。冷却流路３は第１の巻層１Ａと第２の巻層１Ｂとに挟まれた空隙部分である。また平面視において第２の巻層１Ｂと筒状カバー２との間、すなわち第２の巻層１Ｂの外向きの表面と筒状カバー２の内向きの表面との間には、冷却流路４が形成されている。
【００１９】
冷却流路３，４はリアクトル１００の直線軸ｌｎに沿う方向のうち一方の端部側（たとえばＸ側）から流れる冷却媒体ＦＲの流路であり、この冷却媒体ＦＲが冷却流路３，４を通ることにより巻線１を冷却する。冷却媒体ＦＲとしてはたとえばフレッシュエアが用いられることが好ましいが、空気以外の気体材料が用いられてもよく、またたとえば冷却水などの液体材料が用いられてもよい。
【００２０】
第１の巻層１Ａおよび第２の巻層１Ｂが図１のＸからＸ’まで延びるように巻回されることにより、冷却流路３，４は図１のＸからＸ’まで直線軸ｌｎに沿う方向に延びる。
【００２１】
スペーサ６は、第１の巻層１Ａと第２の巻層１Ｂとの双方に接するように、平面視において円形を有する第１の巻層１Ａと第２の巻層１Ｂとの（半径方向に関する）間の領域に配置される部材である。より具体的には、第１の巻層１Ａの外向きの表面と第２の巻層１Ｂの内向きの表面との双方に接するように、平面視における第１の巻層１Ａと第２の巻層１Ｂとの間の領域には、直線軸ｌｎに沿う方向に延びるスペーサ６が配置されている。これにより、第１の巻層１Ａと第２の巻層１Ｂとの間にはスペーサ６の厚み分の間隔が確保されるため、第１の巻層１Ａと第２の巻層１Ｂとの間に冷却媒体ＦＲが流れる第１の冷却流路３が形成される。
【００２２】
上記と同様に、スペーサ７は、第２の巻層１Ｂと筒状カバー２との双方に接するように、平面視において円形を有する第２の巻層１Ｂと筒状カバー２との（半径方向に関する）間の領域に、直線軸ｌｎに沿う方向に延びるように配置される部材である。これにより、第２の巻層１Ｂと筒状カバー２の間にはスペーサ７の（リアクトル１００の平面視における円形の半径方向の）厚み分の間隔が確保されるため、第２の巻層１Ｂと筒状カバー２との間に冷却流路４が形成される。
【００２３】
スペーサ６，７は図１の直線軸ｌｎに沿う方向に延びる部材であり、平面視において巻線１の円周方向に関して等間隔に、たとえば９０°間隔で合計４箇所に配置されている。しかしスペーサ６，７の配置される間隔（数）はこれに限らず、たとえば巻線１の円周方向に関して６０°間隔で合計６箇所に配置されてもよい。また図２においてスペーサ６とスペーサ７とは同心円の円周方向に関する位相の等しい位置に配置されるが、必ずしもこのような態様を取らなくてもよく、たとえば円周方向に関して互いに隣り合う１対のスペーサ６の中央部と位相の等しい位置にスペーサ７が配置されてもよい。
【００２４】
また冷却流路５は、第１の巻層１Ａの内側に形成され、仮想の直線軸ｌｎを含むように直線軸ｌｎに沿う方向に延びる第３の冷却流路である。
【００２５】
これらの冷却流路３，４，５は、平面視における面積が大きいほど冷却媒体ＦＲの流量が大きくなり、冷却媒体ＦＲによる巻線１の冷却効果が高められる。
【００２６】
またスペーサ６，７については、平面視における円形の半径方向に関しては大きく、円周方向に関しては小さくすることが好ましい。半径方向に関するスペーサ６，７の寸法を大きくすれば、冷却流路３，４の平面視における半径方向の寸法も大きくなるため、冷却流路３，４を流すことができる冷却媒体ＦＲの量が増えて巻線１の冷却効果が高められるためである。このためリアクトル１００の許容寸法最大値および巻線１のインダクタンス設計などを考慮する必要があるが、半径方向に関するスペーサ６，７の寸法は可能な限り大きくすることが好ましい。
【００２７】
一方、円周方向に関するスペーサ６，７の寸法を小さくすれば、その分だけ円周方向に関する冷却流路３，４の長さが長くなり、冷却流路３，４を流すことができる冷却媒体ＦＲの量が増えて巻線１の冷却効果が高められる。このため円周方向に関するスペーサ６，７の寸法は可能な限り小さくすることが好ましい。
【００２８】
図１および図３を参照して、巻線１の第１の巻層１Ａおよび第２の巻層１Ｂのそれぞれは、上流側巻層Ｕ１と、下流側巻層Ｄ１とを有している。上流側巻層Ｕ１とは冷却媒体ＦＲの流通方向における上流側Ｕに配置された巻線１を意味し、下流側巻層Ｄ１とは冷却媒体ＦＲの流通方向における下流側Ｄに配置された巻線１を意味している。
【００２９】
上流側巻層Ｕ１と下流側巻層Ｄ１とは、直線軸ｌｎに沿う方向に関して互いに間隔をあけて並んでいる。たとえば上流側巻層Ｕ１の第１の巻層１Ａと下流側巻層Ｄ１の第１の巻層１Ａとの間の領域においては第１の巻層１Ａの線材が巻回されることなく直線軸ｌｎに沿う方向に直線状に延びる。
【００３０】
つまり上流側巻層Ｕ１と下流側巻層Ｄ１とは１本の線材により形成され、上流側巻層Ｕ１と下流側巻層Ｄ１とにより１つの巻線１が形成される。これと上記とにより、第１の巻層１Ａと第２の巻層１Ｂと上流側巻層Ｕ１と下流側巻層Ｄ１とは１本の線材により形成される。
【００３１】
直線軸ｌｎに沿う方向に関して（複数の巻回された線材が直線軸ｌｎに沿う方向に関して隙間なく接触することにより形成される）上流側巻層Ｕ１および下流側巻層Ｄ１との間にこれらが間断された領域である開口部が形成され、この開口部が第２の冷却流路８となる。第２の冷却流路８は上流側巻層Ｕ１、下流側巻層Ｄ１および冷却流路３に交わるように図３の上下方向（平面視における半径方向）に広がっている。
【００３２】
冷却流路３，４，５が図１の直線軸ｌｎに沿う方向に延びるのに対し、冷却流路８は図１の直線軸ｌｎに交差する方向（たとえば円形の周方向）に延びるように形成される。このため冷却流路８は冷却流路３，４，５のそれぞれに通じるようにつながっている（交わっている）。冷却流路８は、第１の巻層１Ａと第２の巻層１Ｂとの少なくともいずれか一方（図１、図３においては第１の巻層１Ａと第２の巻層１Ｂとの双方）に形成された開口部として形成されている。
【００３３】
図３を参照して、巻線１の円周方向に関してスペーサ６，７が配置されない領域においては、上流側巻層Ｕ１の端部８Ａと下流側巻層Ｄ１の端部８Ｂとが互いに間隔をあけて対向するように配置され、この間隔が図３の上下方向に延びる冷却流路８として形成される。この領域においてはスペーサ６，７が配置されないため、第１の巻層１Ａと第２の巻層１Ｂとの間には空隙部分としての冷却流路３が、第２の巻層１Ｂと筒状カバー２との間は空隙部分としての冷却流路４が、それぞれ形成されている。
【００３４】
図４および図５を参照して、巻線１の円周方向に関して冷却流路３，４にスペーサ６，７が配置される領域においては、冷却流路８内においてその一部の領域を埋めるようにスペーサ９が配置されている。このためスペーサ９の上流側巻層Ｕ１に対向する端面９Ａは図３の巻層１Ａ，１Ｂの端部８Ａと接し、スペーサ９の下流側巻層Ｄ１に対向する端面９Ｂは図３の巻層１Ａ，１Ｂの端部８Ｂと接する。またスペーサ９の外周側の表面はスペーサ７と接触している。このようにスペーサ９は、上流側巻層Ｕ１の端部８Ａと下流側巻層Ｄ１の端部８Ｂとの双方と接するように、（直線軸ｌｎの方向に関して）上流側巻層Ｕ１と下流側巻層Ｄ１との間に配置される。スペーサ９は、上流側巻層Ｕ１と下流側巻層Ｄ１とが互いに間隔をあけて対向することにより冷却流路８を確保するために設けられる。
【００３５】
なお図４および図５においては、上流側巻層Ｕ１と下流側巻層Ｄ１とのそれぞれの、第１の巻層１Ａと第２の巻層１Ｂとの双方に接触するようにスペーサ９が配置されている。しかしスペーサ９は、少なくとも上流側巻層Ｕ１の第１の巻層１Ａと第２の巻層１Ｂとのいずれか一方と、下流側巻層Ｄ１の第１の巻層１Ａと第２の巻層１Ｂとのいずれか一方との双方に接触するように配置され、上流側巻層Ｕ１と下流側巻層Ｄ１とに挟まれるように配置されていればよい。
【００３６】
再度図３を参照して、上流側巻層Ｕ１の直線軸ｌｎに沿う方向の長さＸ１は、下流側巻層Ｄ１の直線軸ｌｎに沿う方向の長さＸ２よりも長い。言い換えれば、冷却流路８およびスペーサ９は、巻線１の直線軸ｌｎに沿う方向に関する中央部よりも下流側Ｄに配置される。また図１４，４においては冷却流路８は１つのみ形成されているが、冷却流路８は複数形成されてもよい。
【００３７】
図４に示すように、巻線１およびスペーサ６は、冷却流路８（スペーサ９）により２つの領域（たとえば巻線１は上流側巻層Ｕ１と下流側巻層Ｄ１と）に分かれている。しかしスペーサ７は、筒状カバー２と同様に、ＸからＸ’まで途切れることなく、直線軸ｌｎに沿う方向に延びるように形成されてもよい。
【００３８】
図５を参照して、スペーサ９は、スペーサ６，７と同様に、平面視において巻線１の円周方向に関して等間隔に、たとえば９０°間隔で合計４箇所に配置されているが、これに限らず、たとえば６０°間隔で合計６箇所に配置されてもよい。
【００３９】
図６を参照して、案内板１０は、冷却流路８の下流側巻層Ｄ１側に配置されている。より具体的には、冷却流路８において一方開口端８Ｃと反対側に位置する他方開口端８Ｄにおいて、冷却流路８の下流側Ｄに位置する第１の巻層１Ａに接続配置されている。案内板１０は第１の巻層１Ａの内側の（冷却流路５に面する）面に接続されるように形成されている。つまり案内板１０は冷却流路８、および第１の巻層１Ａの下流側巻層Ｄ１と接する（対向する）ように配置される。
【００４０】
案内板１０は平面視において、巻線１などと同じ形状すなわちたとえば円環形状を有しており、巻線１との間に互いに同心円状を有している。案内板１０は、第１の巻層１Ａの内側に突起するように形成されることにより、特に第１の巻層１Ａの内側の冷却流路５をＸからＸ’に向けて流れる冷却媒体ＦＲに衝突し、その冷却媒体ＦＲの流れる方向を冷却流路５の延びる方向から他の方向（たとえば冷却流路８の延びる方向）に変更させることを可能とする形状を有している。
【００４１】
案内板１０は、その上流側Ｕを向く表面１０Ａが、冷却流路８の下流側Ｄの側面に相当する壁面８Ｂに沿い、かつ壁面８Ｂと表面１０Ａとが同一平面となるように配置（形成）されている。
【００４２】
なお、本実施の形態においては、案内板１０の表面１０Ａと壁面８Ｂとが同一平面となるように配置されているが、冷却媒体ＦＲが案内板１０に衝突して冷却流路５から冷却流路８に流れ込めばよいので、必ずしも案内板１０の表面１０Ａと壁面８Ｂとが同一平面とならなくてもよい。
【００４３】
案内板１０の円環の平面形状の最外周面は、下流側巻層Ｄ１の第１の巻層１Ａの内側の面である、冷却流路５を形成する内周面１Ｉに接続されるように形成されている。すなわち案内板１０と内周面１Ｉとは互いに直接接続されており、両者の間に隙間が存在しない。
【００４４】
図６において案内板１０は、第１の巻層１Ａの内周面１Ｉに接続するように配置されているが、案内板１０は必ずしも第１の巻層１Ａに接続されていなくてもよく、単に冷却流路８の下流側の第１の巻層１Ａの近くに配置された構成であってもよい。
【００４５】
次に上記のリアクトル１００の各部材の材質等について説明する。
巻線１を構成する線材は、平角線、丸線、リッツ線などの細線構造を束ねた形状の銅またはアルミなどの素線と、素線の外周を覆うノーメックスなどの絶縁紙（図示せず）とにより形成されることが好ましい。このようにすれば、たとえ巻回される巻線１の表面同士が接触したとしても当該接触部において短絡を起こす可能性を排除できる。
【００４６】
図１および図２においては一重の線材が巻回された態様が示されているが、たとえば図２の巻層１Ａ，１Ｂはその半径方向に関して複数層の線材が積層されたものが巻回された態様を有していてもよい。
【００４７】
スペーサ６，７，９は、これに接触する巻層（たとえば平面視における半径方向の内側に配置される内側巻層）から当該スペーサに加わる応力による損傷を起こさない程度の強度を有することが好ましい。このためスペーサ６，７，９は形状が変化しにくく、かつ電気的な絶縁を確保可能なガラスエポキシなどの絶縁物材料により形成されることが好ましい。仮にスペーサ６，７，９がたとえば内側巻層と外側巻層との間に挟まれ内側巻層と外側巻層との双方を支える強度を有することが要求されるのであれば、セラミックなどの高熱伝導率を有する絶縁物により形成されてもよく、あるいはガラスエポキシのような絶縁体に高熱伝導率を有する絶縁体シートを接触させたものを用いてもよい。またスペーサ６，７，９はステンレスにより形成されてもよい。スペーサとして高熱伝導率を有する材料を用いれば、リアクトル１００の巻線１との熱交換の効率が高められるため、巻線１の冷却効率を向上させることができる。
【００４８】
筒状カバー２および案内板１０はガラスエポキシまたは絶縁紙などの絶縁物により形成されることが好ましい。または筒状カバー２および案内板１０として絶縁物よりも熱伝導性が高いステンレスなどの非磁性金属を用いてもよく、このようにすれば巻線１の冷却効果をより高めることができる。
【００４９】
次に、本実施の形態の作用効果について説明する。
本実施の形態のリアクトル１００は、第１のスペーサ６により、第１の巻層１Ａと第２の巻層１Ｂとの間に冷却流路３が形成されている。また第２の巻層１Ｂの外側には冷却流路４が、第１の巻層１Ａの内側には冷却流路５が形成されている。冷却媒体ＦＲはこれらすべての冷却流路３，４，５を流れるが、冷却媒体ＦＲは各冷却流路３，４，５を通りながら周囲の巻層１Ａ，１Ｂと熱交換する。このため巻層１Ａ，１Ｂがそこに流れる高電流により発熱すれば、冷却媒体ＦＲは上流側Ｕ（図１４，４参照）から下流側Ｄ（図１４，４参照）に流れる際に温度が上昇する。したがって上流側Ｕを流れる冷却媒体ＦＲに比べて下流側Ｄを流れる冷却媒体ＦＲはその温度が高くなる。この温度上昇は、第１の巻層１Ａと第２の巻層１Ｂとに挟まれる冷却流路３を流れる冷却媒体ＦＲにおいて他の冷却流路を流れる冷却媒体ＦＲよりも特に顕著となり、当該冷却流路３の冷却媒体ＦＲは巻層１Ａ，１Ｂを冷却する効果が特に弱くなる。
【００５０】
そこで本実施の形態のリアクトル１００は、冷却媒体ＦＲが流れる方向すなわち直線軸ｌｎに沿う方向に並ぶ、巻線１の上流側巻層Ｕ１と下流側巻層Ｄ１との間に、上記直線軸ｌｎに交差するように形成された冷却流路８を備え、かつ下流側巻層Ｄ１に接続（配置）された案内板１０を備えている。このようにすれば、たとえば冷却流路３を流れる冷却媒体ＦＲに比べて下流側Ｄにおいても比較的低温の状態を保っている冷却流路５を流れる冷却媒体ＦＲを、案内板１０に衝突させ冷却流路８内に導入することが容易になる。これは冷却流路５を流れる冷却媒体ＦＲが案内板１０に衝突することにより、冷却流路５の冷却媒体ＦＲの流路を冷却流路８内に流れ込むように変更するよう誘導する機能を有するためである。
【００５１】
このため冷却流路８内には比較的低温の冷却媒体ＦＲが流れる。ここで図３に示すように冷却流路８は冷却流路３と互いに交差しているため、冷却流路８を流れる冷却媒体ＦＲは冷却流路３に流れ込む。このため、冷却流路８に流れ込んだ比較的低温の冷却媒体ＦＲは、冷却流路８よりも下流側Ｄにおける１対の巻層（下流側巻層Ｄ１）の間に挟まれた冷却流路３を流れる冷却媒体ＦＲの温度を下げることができる。このため下流側巻層Ｄ１を冷却する効果が高められる。
【００５２】
また冷却流路８は冷却流路４とも交わるように形成されている。このため冷却流路５の冷却媒体ＦＲに比べて比較的低温の状態を保っている冷却流路４を流れる冷却媒体ＦＲも、案内板１１に衝突させ冷却流路８内に導入することが容易になる。このため下流側巻層Ｄ１を流れる冷却媒体ＦＲを冷却する効果がいっそう高められる。
【００５３】
上記の効果は、冷却流路８が直線軸ｌｎに沿う方向に関する巻線１の中央部よりも下流側巻層Ｄ１側に配置されることによりいっそう顕著になる。これは中央部よりも下流側巻層Ｄ１側の領域において、冷却流路３を流れる冷却媒体ＦＲの温度が局所的に高くなる可能性が高いためである。
【００５４】
また案内板１０が第１の巻層１Ａの内周面１Ｉに接続（配置）されるように形成されることにより、冷却流路５内を流れる冷却媒体ＦＲが案内板１０に衝突し、その流路を冷却流路８内へ導く効果が高くなる。たとえば内周面１Ｉと案内板１０との間に隙間が形成されていれば、たとえ案内板１０が冷却流路５内の冷却媒体ＦＲを冷却流路８側に導くよう流路変更したとしても、その後冷却流路８内に流れ込む前にその冷却媒体ＦＲが内周面１Ｉと案内板１０との間の隙間内に導入し、冷却流路８内に流れ込まなくなる可能性がある。しかし本実施の形態の上記の構成とすることにより、このような可能性を低減することができる。
【００５５】
（実施の形態２）
図７および図８を参照して、本実施の形態のリアクトル２００の構成は、実施の形態１のリアクトル１００の構成と大筋で同様であるが、実施の形態１と同様に内周面１Ｉに接続（配置）される案内板１０に加え、下流側巻層Ｄ１の第２の巻層１Ｂの外側の面である、冷却流路４を形成する外周面１Ｓに接続（または配置）された第１の案内部材としての案内板１１が形成されている。
【００５６】
案内板１１は案内板１０と同様の材質により形成され、案内板１０と同様に平面視においてたとえば円環形状を有している。案内板１１の円環の平面形状の最内周面が外周面１Ｓに接続配置されるように形成されている。
【００５７】
実施の形態１，２をまとめれば、案内板は、冷却流路８の下流側の第１の巻層１Ａと第２の巻層１Ｂとの少なくともいずれか一方に接続されるか、または冷却流路８の下流側の第１の巻層１Ａと第２の巻層１Ｂとの少なくともいずれか一方の近くに配置されるように形成される。
【００５８】
案内板１１は案内板１０と同様に、その上流側Ｕを向く表面が、冷却流路８の下流側Ｄの側面に相当する壁面８Ｂに沿うように配置（形成）されている。ここでは特に、案内板１１の上流側Ｕを向く表面は、冷却流路８の下流側Ｄの側面に相当する壁面８Ｂと同一平面となるように配置（形成）されている。
【００５９】
図９を参照して、本実施の形態においては、案内板１１が形成される位置において、スペーサ７が上流側Ｕと下流側Ｄとの２つの領域に分かれている。しかしスペーサ７は、筒状カバー２と同様に、ＸからＸ’まで途切れることなく、直線軸ｌｎに沿う方向に延びるように形成されてもよい。
【００６０】
なお、これ以外の本実施の形態の構成は、実施の形態１の構成とほぼ同じであるため同一の要素については同一の符号を付し、その説明は繰り返さない。
【００６１】
次に、本実施の形態の作用効果について説明する。
本実施の形態においても基本的に実施の形態１と同様の作用効果を奏する。また本実施の形態においては第１の巻層１Ａの内周面１Ｉに接続（配置）される案内板１０のみならず、第２の巻層１Ｂの外周面１Ｓに接続（配置）される案内板１１が形成されている。案内板１１は案内板１０と同様の機能を有する。すなわち案内板１１は、（冷却流路３の冷却媒体ＦＲと同様に）冷却流路５を流れる冷却媒体ＦＲよりも低温である冷却流路４を流れる冷却媒体ＦＲを衝突させてその流れる方向を変更させ、その冷却媒体ＦＲを冷却流路８内に導入することができる。このため実施の形態１よりもいっそう高効率に、下流側巻層Ｄ１を冷却する効果が高められる。
【００６２】
なお案内板１１と外周面１Ｓとは互いに直接接続されており、両者の間に隙間が存在しないことが好ましい。このようにすれば、より高効率に冷却流路４内を流れる冷却媒体ＦＲが案内板１１に衝突しその流路を冷却流路８内へ導く効果が高くなる。
【００６３】
ただし第１の巻層１Ａの内周面１Ｉに隣接する冷却流路５は、通常は第２の巻層１Ｂの外周面１Ｓに隣接する冷却流路４よりも、平面視における断面積が大きく、より低温の冷却媒体ＦＲが流れる傾向にある。このため一般的に、内周面１Ｉに接続される案内板１０により冷却流路８，３内を冷却する効果の方が、外周面１Ｓに接続される案内板１１により冷却流路８，３を冷却する効果よりも大きい。
【００６４】
（実施の形態３）
図１０を参照して、本実施の形態のリアクトル３００の構成は、実施の形態２のリアクトル２００と大筋で同様の構成である。しかし本実施の形態においては、案内板１０および案内板１１の上流側Ｕに配置する表面１０Ａ，１１Ａが、冷却流路８の下流側Ｄの側面に相当する壁面８Ｂに対して角度を有するように傾斜している。案内板１０および案内板１１の下流側Ｄを向く表面１０Ｂ，１１Ｂは、表面１０Ａ，１１Ａとほぼ平行に対向するように形成されるため、これらの表面１０Ｂ，１１Ｂも壁面８Ｂに対して角度を有するように傾斜している。
【００６５】
図１０に示すように、案内板１０，１１は、それぞれが接続（または配置）される巻線１（第１の巻層１Ａまたは第２の巻層１Ｂ）から離れるにつれ上流側Ｕに配置される方向に向かうように傾斜することが好ましい。この点において、本実施の形態は、上記の表面１０Ａ，１１Ａ，１０Ｂ，１１Ｂに相当する表面が冷却流路８の壁面８Ｂにほぼ平行になっている実施の形態１，２と異なっている。
【００６６】
図１０においては案内板１０，１１の双方が上記のように傾斜した面を有しているが、傾斜した面を有するのは案内板１０，１１の一方のみであってもよい。
【００６７】
なお、これ以外の本実施の形態の構成は、実施の形態１の構成とほぼ同じであるため同一の要素については同一の符号を付し、その説明は繰り返さない。
【００６８】
次に、本実施の形態の作用効果について説明する。
本実施の形態のように案内板１０，１１が、特に巻線１から離れるにつれ上流側Ｕに向かう方向に傾斜していれば、たとえば案内板１０，１１が巻線１に対して垂直に延びる実施の形態１，２の場合に比べて、より高効率に上流側Ｕから冷却流路４，５のそれぞれを流れる冷却媒体ＦＲを冷却流路８内に導入することができる。このため実施の形態１，２よりもさらに下流側巻層Ｄ１の温度上昇を抑制する効果が高められる。
【００６９】
（実施の形態４）
図１１および図１２を参照して、本実施の形態の第１例のリアクトル４００の構成は、実施の形態２のリアクトル２００と大筋で同様の構成である。しかし本実施の形態においては、案内板１０には筒状カバー１２が、案内板１１には筒状カバー１３が、いずれも第１の筒状部材として接続されている。これらはすべて平面視においてたとえば円環形状を有しているが、特に他の部材が矩形状である場合、矩形状であってもよい。
【００７０】
筒状カバー１２は案内板１０の上流側Ｕを向く表面上に、筒状カバー１３は案内板１１の上流側Ｕを向く表面上に、それぞれ接続されており、いずれも案内板１０，１１から上流側Ｕに向かうように、直線軸ｌｎに沿う方向に延在している。筒状カバー１２，１３は、案内板１０，１１から（図１２の上下方向に関して）上流側巻層Ｕ１に隣り合う領域に達するように、直線軸ｌｎに沿う方向に延在することが好ましい。
【００７１】
筒状カバー１２はその平面形状の最内周面が案内板１０の平面形状の最内周面と同一平面となるように配置され、その半径方向に関する寸法が案内板１０よりも小さい。このため図１２の上下方向に関して筒状カバー１２と巻線１（第１の巻層１Ａ）との間には間隙Ｇ１が形成される。同様に筒状カバー１３はその平面形状の最外周面が案内板１１の平面形状の最外周面と同一平面となるように配置され、その半径方向に関する寸法が案内板１１よりも小さい。このため図１２の上下方向に関して筒状カバー１３と巻線１（第２の巻層１Ｂ）との間には間隙Ｇ２が形成される。
【００７２】
ここで、筒状カバー１２，１３はその直線軸ｌｎに沿う方向の長さがより長いことが好ましい。また間隙Ｇ１，Ｇ２の図の上下方向に関する間隔、すなわち筒状カバー１２と第１の巻層１Ａ（筒状カバー１３と第２の巻層１Ｂ）との間隔をより狭くすることがより好ましい。
【００７３】
筒状カバー１２，１３は筒状カバー２と同様に、ガラスエポキシまたは絶縁紙などの絶縁物、または絶縁物よりも熱伝導性が高いステンレスなどの非磁性金属により形成されることが好ましい。
【００７４】
また図１１および図１２においてはリアクトル４００の平面形状が円形であるため筒状カバー１２，１３も他の各部材と同様に円環形状を有しているが、これに限らずたとえば筒状カバー１２，１３は（他の各部材と同様に）矩形状を有していてもよい。
【００７５】
図１１および図１２においては、案内板１０，１１と筒状カバー１２，１３とは別体として形成され、両者が互いに接続されている。しかし図１３および図１４を参照して、本実施の形態の第２例のリアクトル５００においては、リアクトル４００の案内板１０と同様の形状、配置および機能を有する案内部材本体部と、リアクトル４００の筒状カバー１２とが一体となった一体案内板２０が、第１の案内部材として設けられている。またリアクトル５００においては、リアクトル４００の案内板１０と同様の形状、配置および機能を有する案内部材本体部と、リアクトル４００の筒状カバー１３とが一体となった一体案内板２１が、第１の案内部材として設けられている。
【００７６】
リアクトル５００の一体案内板２０は、案内板１０と筒状カバー１２とが互いに接続されず一体となっている点を除き、リアクトル４００の案内板１０および筒状カバー１２を合わせた構造体と基本的に同様の構成等を有している。すなわち一体案内板２０のうち筒状カバー１２に相当する部分は、直線軸ｌｎに沿う方向に上流側Ｕに向かうように延び、巻線１（第１の巻層１Ａ）と間隔を隔て、当該部分と第１の巻層１Ａとの間に間隙Ｇ１が形成されるように配置されている。
【００７７】
同様に、リアクトル５００の一体案内板２１は、案内板１１と筒状カバー１３とが互いに接続されず一体となっている点を除き、リアクトル４００の案内板１０および筒状カバー１２を合わせた構造体と基本的に同様の構成等を有している。すなわち一体案内板２１のうち筒状カバー１３に相当する部分は、直線軸ｌｎに沿う方向に上流側Ｕに向かうように延び、巻線１（第２の巻層１Ｂ）と間隔を隔て、当該部分と第２の巻層１Ｂとの間に間隙Ｇ２が形成されるように配置されている。
【００７８】
なお、これ以外の本実施の形態の構成は、実施の形態２の構成とほぼ同じであるため同一の要素については同一の符号を付し、その説明は繰り返さない。
【００７９】
次に、本実施の形態の作用効果について説明する。
本実施の形態においては、筒状カバー１２，１３が設けられる（または筒状カバー１２，１３と同等の部分を有する一体案内板２０，２１を配置される）。また筒状カバー１２，１３（一体案内板２０，２１）は、直線軸ｌｎに沿う方向に上流側Ｕに向かうように延びている。このため当該部分と巻線１（第１の巻層１Ａまたは第２の巻層１Ｂ）との間には、間隙Ｇ１，Ｇ２のような、冷却流路５，４の延在方向に交差する断面よりも狭い断面を有する領域が形成される。
【００８０】
このようにすれば、当該狭い断面の間隙Ｇ１，Ｇ２に流れる冷却媒体ＦＲの流速を、間隙Ｇ１，Ｇ２が存在しない広い断面の冷却流路５，４に比べて速くすることができる。このため、間隙Ｇ１，Ｇ２を単位時間に通る冷却媒体ＦＲの、直線軸ｌｎに沿う方向に関する寸法（広さ）を大きくすることができるため、より高効率に冷却流路８内に冷却媒体ＦＲが導入される。したがって、下流側巻層Ｄ１の冷却効率を高めることができる。
【００８１】
このように冷却媒体ＦＲの流路の幅を狭くして流速を速くする役割を有する筒状カバー１２，１３が、冷却流路８および案内板１０，１１を有するリアクトルに併用されることにより、下流側巻層Ｄ１を冷却する効率がいっそう高められる。
【００８２】
またリアクトル４００のように案内板１０，１１と筒状カバー１２，１３とが別体として構成される場合に比べ、リアクトル５００のようにこれらが一体となった構成の一体案内板２０，２１は短時間で容易に形成できる。
【００８３】
（実施の形態５）
図１５および図１６を参照して、本実施の形態のリアクトル６００は、実施の形態２のリアクトル２００の構成に加えて、第２の案内部材としての案内板１４，１５と、第２の筒状部材としての筒状カバー１６，１７とを有している。これらはすべて平面視においてたとえば円環形状を有しているが、特に他の部材が矩形状である場合、矩形状であってもよい。
【００８４】
案内板１４，１５は、第１の案内部材としての案内板１０，１１よりも、直線軸ｌｎに沿う方向に関して下流側Ｄに配置されている。案内板１４は第１の巻層１Ａよりも内側すなわち直線軸ｌｎに近い側に、第１の巻層１Ａと互いに間隔をあけて配置されている。すなわち図１５の平面視において、案内板１４の最外周面と第１の巻層１Ａの最内周面（内周面１Ｉ）とは互いに接しておらず、両者の間には図１５の半径方向に間隔を有している。案内板１５は第２の巻層１Ｂよりも外側すなわち直線軸ｌｎから離れた側に、第２の巻層１Ｂと互いに間隔をあけて配置されている。すなわち図１５の平面視において、案内板１５の最内周面と第２の巻層１Ｂの最外周面とは互いに接しておらず、両者の間には図１５の半径方向に間隔を有している。
【００８５】
筒状カバー１６は、たとえば案内板１４の平面視における最外周面に接続するように配置されることにより、案内板１４の外側に配置される。筒状カバー１６は図１６の直線軸ｌｎに沿う方向に関して、案内板１４から下流側Ｄに延びるように配置されている。しかし筒状カバー１６も第１の巻層１Ａの内周面１Ｉに接続されてはおらず、筒状カバー１６の最外周面と第１の巻層１Ａの内周面１Ｉとは互いに間隔を隔てて配置され間隙Ｇ３が形成されている。なお案内板１０と案内板１４とは直線軸ｌｎに沿う方向に関して互いに離れている。
【００８６】
筒状カバー１７は、たとえば案内板１５の平面視における最内周面に接続するように配置されることにより、案内板１５の外側に配置される。筒状カバー１７は図１６の直線軸ｌｎに沿う方向に関して、案内板１５から下流側Ｄに延びるように配置されている。しかし筒状カバー１７も第１の巻層１Ａの外周面１Ｓに接続されてはおらず、筒状カバー１７の最内周面と第２の巻層１Ｂの外周面１Ｓとは互いに間隔を隔てて配置され間隙Ｇ４が形成されている。なお案内板１１と案内板１５とは直線軸ｌｎに沿う方向に関して互いに離れている。
【００８７】
案内板１４，１５および筒状カバー１６，１７は上記の案内板１０，１１および筒状カバー１２，１３と同様に、ガラスエポキシまたは絶縁紙などの絶縁物、または絶縁物よりも熱伝導性が高いステンレスなどの非磁性金属により形成されることが好ましい。
【００８８】
図１５および図１６においては実施の形態２のリアクトル２００に案内板１４，１５および筒状カバー１６，１７を追加した構成を示しているが、これに限らず、上記の他の実施の形態のリアクトルに案内板１４，１５および筒状カバー１６，１７を追加した構成としてもよい。
【００８９】
以上のように案内板１４，１５および筒状カバー１６，１７を有する点において本実施の形態は上記の各実施の形態（特に実施の形態２）と異なるが、これ以外の本実施の形態の構成は、実施の形態２の構成とほぼ同じであるため同一の要素については同一の符号を付し、その説明は繰り返さない。
【００９０】
次に、本実施の形態の作用効果について説明する。
上記の各実施の形態１〜４のように案内板１０，１１を配置すれば、その上流側Ｕを向く表面１０Ａ，１１Ａが冷却媒体ＦＲに衝突して冷却流路８に冷却媒体ＦＲを導入するため、たとえば冷却流路８より下流側Ｄにおける冷却流路４，５内を流れる冷却媒体ＦＲの量が減少する可能性がある。冷却流路４，５内を流れる冷却媒体ＦＲの量が減少すれば、特に下流側巻層Ｄ１が局所的に温度上昇する可能性がある。
【００９１】
そこで本実施の形態のように、案内板１０，１１よりも下流側Ｄに案内板１４，１５を設け、さらにこれに接続するよう下流側Ｄに延びる筒状カバー１６，１７を設けることにより、案内板１４，１５が筒状カバー１６，１７に隣接する間隙Ｇ３，Ｇ４に冷却媒体ＦＲを流す効率を高めることができる。これは実施の形態４と同様に、狭い間隙Ｇ３，Ｇ４に流れる冷却媒体ＦＲの流速を速くすることにより、間隙Ｇ３，Ｇ４を単位時間に通る冷却媒体ＦＲの、直線軸ｌｎに沿う方向に関する寸法（広さ）を大きくすることができるためである。このため特に下流側巻層Ｄ１の局所的な温度上昇を抑制することができる。
【００９２】
（実施の形態６）
図１７〜図１９を参照して、本実施の形態のリアクトル７００は、案内板１０，１１が内周面１Ｉ上および外周面１Ｓ上に接続される代わりに、下流側巻層Ｄ１の最も上流側Ｕの端面にあたる壁面８Ｂの上に接続されるように形成されている。このように本実施の形態においては案内板が、冷却流路８から見て下流側Ｄに位置する第１の巻層１Ａと第２の巻層１Ｂとの少なくともいずれか一方（ここでは双方）の、冷却流路８に面する壁面８Ｂの上に形成されている。
【００９３】
案内板１０は第１の巻層１Ａの最も上流側Ｕの端面であり冷却流路８の下流側Ｄの側面である壁面８Ｂの上に広がるように形成され、かつ第１の巻層１Ａの内側にも突起するように広がっている。つまり案内板１０は平面視において第１の巻層１Ａおよび冷却流路５の一部と重なるように配置される円環形状である。
【００９４】
案内板１１は第２の巻層１Ｂの最も上流側Ｕの端面であり冷却流路８の下流側Ｄの側面である壁面８Ｂの上に広がるように形成され、かつ第２の巻層１Ｂの外側にも突起するように広がっている。つまり案内板１０は平面視において第２の巻層１Ｂおよび冷却流路４の一部と重なるように配置される円環形状である。ただし案内板１０，１１は他の部材の形状に合わせてたとえば矩形状を有していてもよい。
【００９５】
案内板１０，１１の（直線軸ｌｎに沿う方向の）厚みは、冷却流路８の（直線軸ｌｎに沿う方向の）幅よりも薄い。このため冷却流路８の上流側Ｕの側面に相当する壁面８Ａと案内板１０，１１との隙間が冷却流路８として形成されている。この冷却流路８の一部には図１９に示すようにスペーサ９が配置されている。スペーサ９の上流側巻層Ｕ１側の端面９Ａは壁面８Ａと接し、スペーサ９の下流側巻層Ｄ１側の端面９Ｂは案内板１０，１１と接している。
【００９６】
なお、これ以外の本実施の形態の構成は、実施の形態１の構成とほぼ同じであるため同一の要素については同一の符号を付し、その説明は繰り返さない。
【００９７】
次に、本実施の形態の作用効果について説明する。
本実施の形態においては案内板１０，１１が冷却流路８内の壁面８Ｂ上に接続され、冷却流路８からの突起部分が冷却流路５，４内に入り込むように形成されている。このため案内板１０，１１が冷却流路４，５を流れる冷却媒体ＦＲを冷却流路８内に導入する効果が確保できる。
【００９８】
また本実施の形態においては下流側巻層Ｄ１の内周面１Ｉ上および外周面１Ｓ上には案内板が接続されない。このため内周面１Ｉおよび外周面１Ｓが冷却流路５，４内を流れる冷却媒体ＦＲと接触可能な部分の面積が大きくなることから、冷却媒体ＦＲによる巻線１の冷却効率が高められる。
【００９９】
（実施の形態７）
図２０を参照して、本実施の形態のリアクトル８００は、実施の形態６のリアクトル７００の案内板１０，１１のそれぞれの上流側Ｕを向く表面１０Ａ，１１Ａ上に、筒状カバー１２，１３が接続されている。筒状カバー１２，１３は、案内板１０，１１から上流側巻層Ｕ１側に向かうように、直線軸ｌｎに沿う方向に延在している。筒状カバー１２，１３はたとえば実施の形態４と同様に、巻層１Ａ，１Ｂとの間に間隙Ｇ１，Ｇ２を形成するように配置される。
【０１００】
なお、これ以外の本実施の形態の構成は、実施の形態６の構成とほぼ同じであるため同一の要素については同一の符号を付し、その説明は繰り返さない。
【０１０１】
本実施の形態のように、実施の形態６の案内板１０，１１の態様に筒状カバー１２，１３が接続されてもよい。このようにすれば、実施の形態４と同様に、案内板１０，１１が冷却流路８内に冷却媒体ＦＲを導入する効果をいっそう高めることができるため、巻層１Ａ，１Ｂの冷却効率をいっそう高めることができる。
【０１０２】
（実施の形態８）
図２１〜図２３を参照して、本実施の形態のリアクトル９００の構成は、実施の形態１のリアクトル１００の構成と大筋で同様であるが、巻線１が第１の巻層１Ａと第２の巻層１Ｂとに加え第３の巻層１Ｃを有している。第３の巻層１Ｃは平面視において第２の巻層１Ｂと間隔をあけて、第２の巻層１Ｂの外側に巻回されている。なお上記の各実施の形態と同様に、本実施の形態においては第１の巻層１Ａと第２の巻層１Ｂと第３の巻層１Ｃと、上流側巻層Ｕ１と下流側巻層Ｄ１とは１本の線材により形成されるが、各巻層は別の線材として形成されてもよい。
【０１０３】
第２の巻層１Ｂの外向きの表面と第３の巻層１Ｃの内向きの表面との双方に接するように、スペーサ６，７と同様の形状および材質のスペーサ６０が配置され、これにより第２の巻層１Ｂと第３の巻層１Ｃとの間に冷却流路４が、第３の巻層１Ｃと筒状カバー２との間に冷却流路３０が、それぞれ形成される。
【０１０４】
本実施の形態においてはスペーサ９の上流側巻層Ｕ１に対向する端面９Ａは図２３の巻線１Ａ，１Ｂ，１Ｃの端部８Ａと接し、スペーサ９の下流側巻層Ｄ１に対向する端面９Ｂは図２３の巻層１Ａ，１Ｂ，１Ｃの端部８Ｂと接する。またスペーサ９の外周側の表面はスペーサ６０と接触している。
【０１０５】
なお、これ以外の本実施の形態の構成は、実施の形態１の構成とほぼ同じであるため同一の要素については同一の符号を付し、その説明は繰り返さない。
【０１０６】
本実施の形態のリアクトル９００が示すように、巻線１を構成する複数の巻層は、２以上の任意の数とすることができる。またリアクトル９００は実施の形態１のリアクトル１００をベースに巻層の数を増加させた構成としているが、他の実施の形態２〜７に示す各リアクトルの巻層の数を増加させた構成としてもよい。
【０１０７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０８】
１  巻線、１Ａ  第１の巻層、１Ｂ  第２の巻層、１Ｃ  第３の巻層、１Ｉ  内周面、１Ｓ  外周面、２，１２，１３，１６，１７  筒状カバー、３，４，５，８，３０  冷却流路、６，７，９，６０  スペーサ、１０，１１，１４，１５  案内板、２０，２１  一体案内板、１００，２００，３００，４００，５００，６００，７００，８００，９００  リアクトル、ＦＲ  冷却媒体、Ｇ１，Ｇ２，Ｇ３，Ｇ４  間隙、ｌｎ  直線軸。
【図１】
2015191920.tif 000003
【図２】
2015191920.tif 000004
【図３】
2015191920.tif 000005
【図４】
2015191920.tif 000006
【図５】
2015191920.tif 000007
【図６】
2015191920.tif 000008
【図７】
2015191920.tif 000009
【図８】
2015191920.tif 000010
【図９】
2015191920.tif 000011
【図１０】
2015191920.tif 000012
【図１１】
2015191920.tif 000013
【図１２】
2015191920.tif 000014
【図１３】
2015191920.tif 000015
【図１４】
2015191920.tif 000016
【図１５】
2015191920.tif 000017
【図１６】
2015191920.tif 000018
【図１７】
2015191920.tif 000019
【図１８】
2015191920.tif 000020
【図１９】
2015191920.tif 000021
【図２０】
2015191920.tif 000022
【図２１】
2015191920.tif 000023
【図２２】
2015191920.tif 000024
【図２３】
2015191920.tif 000025